(57)【要約】【課題】プラットホーム上での荷役作業における高い安全性を保証するコンテナドア固定装置を提供する。【解決手段】コンテナ１００の端部１００ａに開設された開口部を開閉するコンテナドア１０１を開き状態に固定する。コンテナ１００の端部上に横架固定される装置本体１１と、装置本体１１に伸縮可能に結合する一対のアーム１２と、アーム１２の先端部に設けたドア係止部１３を備え、装置本体１１から伸長した各アーム１２のドア係止部１３が、開いたコンテナドア１０１の上縁部と係合し、その開き状態に固定保持する。【選択図】図４
2015081166.tif 000002
【特許請求の範囲】
【請求項１】
コンテナの端部に開設された開口部を開閉するコンテナドアを開き状態に固定するコンテナドア固定装置であって、
前記コンテナの端部上に横架固定される装置本体と、この装置本体に伸縮可能に結合する一対のアームと、これらのアームの先端部に設けたドア係止部を備え、
前記装置本体から伸長した各前記アームの前記ドア係止部が、開いた前記コンテナドアの上縁部と係合し、その開き状態に固定保持することを特徴とするコンテナドア固定装置。
【請求項２】
前記ドア係止部は、前記コンテナドアの上縁部に対する当受け部とこの当受け部との間に前記コンテナドアの上縁部を収容保持して前記コンテナドアが離反するのを規制するロック片とを有し、
前記ロック片は、前記コンテナドアの上縁部が前記当受け部側へ押入可能とするように揺動自在に支持されることを特徴とする請求項１に記載のコンテナドア固定装置。
【請求項３】
前記ドア係止部に複数の脚部を付設し、これらの脚部を介して接地可能にしたことを特徴とする請求項１又は２に記載のコンテナドア固定装置。
【請求項４】
前記装置本体には、前記コンテナの端部の上面に形成した穴部に係合可能なガイドピンを設けると共に、該端部の角部の側面に接触可能なガイドプレートを設けたことを特徴とする請求項１〜３のいずれか１項に記載のコンテナドア固定装置。
【発明の詳細な説明】
【技術分野】
【０００１】
本発明は、倉庫等のプラットホームにおけるコンテナ荷役作業でコンテナドアを固定するコンテナドア固定装置に関するものである。
【背景技術】
【０００２】
トラックあるいはトレーラに積載されたコンテナは、倉庫等まで運ばれて荷物の出入れを行う際、図８のようにプラットホーム１に後ろ向きで着けられる。コンテナ１００の端部には荷物出入れ用の開口部１０２が開設されており、この開口部１０２に観音開きのドア１０１を有している。荷役作業中には鎖線（向こう側）および実線（手前側）により示すようにドア１０１は開ききった状態に固定される。プラットホーム１上ではフォークリフト等を使っての荷役作業が行われる。
【０００３】
プラットホーム１は一般に、１メートル程度の高さを有し、ドア１０１が開くことによりコンテナ１００の両側は概略点線で示すような開放空間Ｓとなる。この種のプラットホーム上でのコンテナ荷役作業においてフォークリフト等の転落を防止すべく、プラットホーム１の際付近にパイロン（三角コーン）やバー等を設置し、立ち入り禁止を注意喚起する等の安全策をとっていた。
【先行技術文献】
【特許文献】
【０００４】
【特許文献１】特開２００２−２６５０６６号公報
【発明の概要】
【発明が解決しようとする課題】
【０００５】
上述のようなパイロンやバー等により立ち入り禁止を注意喚起する安全策をとっているものの、これはあくまで警報的手段であり、実質的には物理的な転落手段とはなっていないのが実情であった。
【０００６】
なお、特許文献１にはこの種の荷役作業中において作業の安全性を確保する装置等が開示されている。
【０００７】
本発明はかかる実情に鑑み、プラットホーム上での荷役作業における高い安全性を保証するコンテナドア固定装置を提供することを目的とする。
【課題を解決するための手段】
【０００８】
本発明のコンテナドア固定装置は、コンテナの端部に開設された開口部を開閉するコンテナドアを開き状態に固定するコンテナドア固定装置であって、前記コンテナの端部上に横架固定される装置本体と、この装置本体に伸縮可能に結合する一対のアームと、これらのアームの先端部に設けたドア係止部を備え、前記装置本体から伸長した各前記アームの前記ドア係止部が、開いた前記コンテナドアの上縁部と係合し、その開き状態に固定保持することを特徴とする。
【０００９】
また、本発明のコンテナドア固定装置において、前記ドア係止部は、前記コンテナドアの上縁部に対する当受け部とこの当受け部との間に前記コンテナドアの上縁部を収容保持して前記コンテナドアが離反するのを規制するロック片とを有し、前記ロック片は、前記コンテナドアの上縁部が前記当受け部側へ押入可能とするように揺動自在に支持されることを特徴とする。
【００１０】
また、本発明のコンテナドア固定装置において、前記ドア係止部に複数の脚部を付設し、これらの脚部を介して接地可能にしたことを特徴とする。
【００１１】
また、本発明のコンテナドア固定装置において、前記装置本体には、前記コンテナの端部の上面に形成した穴部に係合可能なガイドピンを設けると共に、該端部の角部の側面に接触可能なガイドプレートを設けたことを特徴とする。
【発明の効果】
【００１２】
本発明によれば、プラットホーム上でのコンテナ荷役作業において、コンテナドアを略１８０°程度開いてその状態に固定保持し、コンテナの両側が開いたコンテナドアによって閉鎖される。コンテナの両側には開放空間がなくなるので、フォークリフト等の転落を有効に防止することができ、作業の高い安全性が保証される。
【図面の簡単な説明】
【００１３】
【図１】本発明によるコンテナドア固定装置の使用時の様子を示す斜視図である。
【図２】本発明によるコンテナドア固定装置の使用に先立ちコンテナ上にセットされた時の様子を示す斜視図である。
【図３】本発明によるコンテナドア固定装置の構成例を示す（Ａ）は平面図、（Ｂ）はその正面図、（Ｃ）はその側面図である。
【図４】本発明によるコンテナドア固定装置における装置本体の構成例を示す（Ａ）は平面図、（Ｂ）はその正面図、（Ｃ）はその側面図である。
【図５】本発明によるコンテナドア固定装置におけるアームの構成例を示す（Ａ）は左右片側部分の平面図、（Ｂ）はその正面図、（Ｃ）はその側面図である。
【図６】本発明によるコンテナドア固定装置におけるロック片の作用等を順に示す図である。
【図７】本発明によるコンテナドア固定装置の使用時の主要工程を順に示す図である。
【図８】従来のコンテナ荷役作業を説明するためのコンテナの斜視図である。
【発明を実施するための形態】
【００１４】
以下、図面に基づき、従来例と同一又は対応する部材等には同一符号を用いて、本発明によるコンテナドア固定装置における好適な実施の形態を説明する。
図１は本発明によるコンテナドア固定装置１０の使用時の様子を示し、図２は使用に先立ちコンテナ１００上にセットされた時の様子を示す。ここで先ず、図８をも参照してコンテナ１００は典型的には直方体状の箱型を呈し、図１のようにその長手方向一側の端部１００ａに荷物出入れ用の開口部１０２が開設されており、この開口部１０２を観音開き式に開閉するドア１０１（コンテナドア）を有する。本発明のコンテナドア固定装置１０はその使用に先立ち図２のように端部１００ａの上辺に沿って搭載され、ドア１０１を図１あるいは図２の二点鎖線のように開き状態に固定するものである。
【００１５】
より具体的には図３において、コンテナドア固定装置１０はコンテナ１００の端部１００ａ上に横架固定される装置本体１１と、この装置本体１１に伸縮可能に結合する一対のアーム１２と、これらのアーム１２の先端部に設けたドア係止部１３を備える。なお、図３（Ａ）はコンテナドア固定装置１０の平面図、図３（Ｂ）はその正面図、図３（Ｃ）はその側面図であり、各アーム１２が装置本体１１に対して収縮した状態が示されている。コンテナドア固定装置１０はコンテナ１００上に搭載される前においては、後述する脚部を介して図３（Ｃ）のように例えばプラットホーム１等の床面Ｇ．Ｌに接地される。図３（Ａ）及び図３（Ｂ）において二点鎖線で示されるコンテナ１００の要部とコンテナドア固定装置１０との相対位置関係を示すが、実使用において、コンテナ１００上に搭載された際には各アーム１２は装置本体１１から伸長されている。
本発明では特に、装置本体１１から伸長した各アーム１２のドア係止部１３が、開いたドア１０１の上端部と係合し、その開き状態に固定保持するようになっている。
【００１６】
次に図４は装置本体１１の構成例を示している。図４（Ａ）は装置本体１１の平面図、図４（Ｂ）はその正面図、図４（Ｃ）はその側面図である。装置本体１１の主要構成部材としてコンテナ１００の端部１００ａの上辺（左右方向）と略同一長さの角パイプでなるビーム１４を有する。コンテナドア固定装置１０は、フォークリフトを使ってコンテナ１００に上げ下げされ、このためビーム１４の上面にはフォークリフトの爪が挿入される一対のフォークポケット１５がセンター振分けで設けられる。
【００１７】
ここで、コンテナ１００は保管場所等に数段積み重ねて置かれ、コンテナ１００の端部１００ａの上面角部には上下間同士で嵌合式に係合して相互の位置合せを行うための穴部（長穴）１０３が形成されている（図４（Ｂ））。ビーム１４にはブラケット１６を介して間接的に、穴部１０３に係合可能な下方を向いたガイドピン１７が設けられる。なお、ガイドピン１７の下端側は穴部１０３に挿入し易くするようにテーパ状に先細に形成される。この場合、ブラケット１６の下端には水平配置されるベースプレート１８が結合し、このベースプレート１８の下面にはスイッチ付マグネット１９が付設される。装置本体１１をコンテナ１００の端部１００ａ上に搭載する際、マグネット１９の磁力により端部１００ａの上面角部に吸着させ、ビーム１４を安定してセットすることができる。
【００１８】
また、ベースプレート１８には、端部１００ａの角部の左右方向及び長手方向のそれぞれ側面に接触可能なスカート２０Ａ（図４（Ｂ））及びスカート２０Ｂ（図４（Ｃ））が垂下される。なお、これらのスカート２０Ａ及びスカート２０Ｂの下端部は、端部１００ａの角部の側面に接触し易くするようにテーパ状に形成される。
【００１９】
次に図５はアーム１２の構成例を示している。図５（Ａ）はアーム１２の右側部分を示す平面図、図５（Ｂ）はその正面図、図５（Ｃ）はその側面図である。アーム１２はビーム１４にスライド可能に挿入された角パイプでなり、その収縮端と伸長端を規定する固定ピン２１によりそのスライド位置で固定される。アーム１２は、収縮端及び伸長端間の長さで規定される複数のスライドストロークを持つものであってよい。なお、図５はアーム１２の右側部分を示すが、左側部分についても同様に構成される。
【００２０】
また、アーム１２の先端部に設けたドア係止部１３は、開いたドア１０１が押し当てられるように構成される。アーム１２の先端には、これと直交方向にコンテナ１００の長手方向に沿って水平バー２２が固定され、水平バー２２の一方側には略１８０°程度開いたドア１０１（表面側）が当接する位置に該ドア１０１の上端部に対する当受け部２３が下方へ垂設される。また、当受け部２３との間にドア１０１の上端部を収容保持してドア１０１が離反するのを規制するロック片２４を有する。ロック片２４は両側一対のブラケット２５間に挟まれるかたちで、支軸２６を介して揺動可能に支持される。
【００２１】
ロック片２４は支軸２６のまわりに回動可能であるが、ストッパ２７により図５（Ｃ）において時計方向の動きが規制され、図示状態に保持される。この状態で下端縁部２４ａが適度に傾斜配置され、また、このとき反時計方向には回動可能となっている。この場合、ロック片２４の一端側にはそのロック解除の際に専用のカギ棒２８（図６（Ｄ）参照）が引っ掛かるようにした係合孔２９が形成される。
【００２２】
ここで、ロック片２４等の作用について説明する。ドア１０１を当受け部２３に押し当てるべく、図６（Ａ）において上記のように保持されたロック片２４に対して、ドア１０１を接近させる。次に、図６（Ｂ）のようにドア１０１の上端部がロック片２４の下端縁部２４ａに摺接しながら、矢印のようにロック片２４を反時計方向に回動させる。これによりドア１０１の上端部が当受け部２３側へ押入可能となり、図６（Ｃ）のようにドア１０１が当受け部２３に当接とする。一旦、反時計方向に回動したロック片２４はその自重により時計方向に回動後、ストッパ２７により位置規制され、当受け部２３とロック片２４との間にドア１０１の上端部を収容保持することができる。
【００２３】
更に、図５（Ｃ）においてドア係止部１３には複数の脚部３０が付設される。この場合、当受け部２３が一方の脚部３０Ａとして機能する。また、水平バー２２におけるアーム１２を挟んで当受け部２３とは反対側には他方の脚部３０Ｂが下方へ垂設される。即ち、ドア係止部１３には一対の脚部３０Ａ，３０Ｂを備え、コンテナドア固定装置１０は全体として計４つの脚部３０で接地可能である。水平バー２２の一方側にはロック片２４等の複数部材が配設され、そのままでは装置重量は一方側へ偏倚する。他方側の脚部３０Ｂ近傍にはカウンタウェイトとしてのバランサ兼ブラケット３１を追加して設け、装置全体の重量バランスをとり、脚部３０で接地する際の安定性を確保するようにしている。
【００２４】
本発明のコンテナドア固定装置１０は上記のように構成されており、次にその作用について説明する。図７はコンテナドア固定装置１０の使用時の主要工程を示している。先ず図７（Ａ）において、プラットホーム１適所等に脚部３０を介して安定接地されているコンテナドア固定装置１０に対して、フォークリフトの爪２００をフォークポケット１５に挿入し持ち上げる。このときアーム１２がビーム１４に対して収縮している場合は、伸長させた状態にする。その後固定ピン２１によりアーム１２を固定し、フォークリフトによりコンテナドア固定装置１０をコンテナ１００の端部１００ａの上方に安定且つ的確に移動させる。なお、コンテナ１００のドア１０１は閉められている。
【００２５】
そして図７（Ａ）において、フォークリフトの爪２００、即ちこれに支持されるコンテナドア固定装置１０を下降させ、コンテナ１００の端部１００ａの穴部１０３を狙いながらアーム１２を伸長させた状態のコンテナドア固定具１０のガイドピン１７を穴部１０３に挿入する。この場合、ガイドピン１７の先細形状及びスカート２０Ａ及びスカート２０Ｂのテーパ形状等によりガイドピン１７をガイドし、ガイドピン１７は円滑且つ的確に穴部１０３に挿入される。また、マグネット１９の磁力によりコンテナ１００の端部１００ａの上面角部に吸着させ、これによりビーム１４をコンテナ１００の端部１００ａ上の所定位置に安定して搭載固定することができる。
【００２６】
次に図７（Ｂ）において、ドア１０１を開けて当受け部２３に当接させることでドア１０１が略１８０°程度開いた状態となる。この状態になる途中でドア１０１は一旦ロック片２４に当接するが、既に説明したように図６（Ａ）のようにドア１０１はロック片２４の前方より進入して、図６（Ｂ）のようにドア１０１の上端部がロック片２４の下端縁部２４ａに摺接しながら移動する。これによりロック片２４を支軸２６のまわりに反時計方向に回動させ、ドア１０１の上端部はロック片２４を乗り越すことができる。ロック片２４を乗り越したドア１０１は、図６（Ｃ）のように当受け部２３側へ押入され、これに当接する。一方、ロック片２４はその自重により時計方向に回動し、ドア１０１の上端部は当受け部２３及びロック片２４の間に収容保持される。これによりドア１０１がコンテナドア固定装置１０にロックされ、図１に示されるように観音開き状態に固定される。
【００２７】
図１のようにドア１０１が略１８０°程度開いて観音開きとなることで、開口部１０２が開放されると共に、コンテナ１００の両側は開いたドア１０１によって閉鎖される。もはや従来のような開放空間Ｓはなくなるので、プラットホーム１上でのコンテナ荷役作業においてフォークリフト等の転落を有効に防止することができ、作業の高い安全性が保証される。
【００２８】
なお、必要に応じて、上記のように開いたドア１０１を固定するコンテナドア固定装置１０をコンテナ１００上にセットしたままの状態で該ドア１０１を閉めることも可能である。この場合、図６（Ｄ）のようにカギ棒２８をロック片２４の係合孔２９に引っ掛けて引くことで、ロック片２４によるロックを解除することができる。また、コンテナドア固定装置１０をコンテナ１００から下した後にドア１０１を閉めることもでき、この作業手順等は作業状況等に応じて適宜選択可能である。
【００２９】
コンテナ荷役作業の終了後、図７（Ｃ）のようにフォークリフトの爪２００をフォークポケット１５に挿入し、セット時とは逆にコンテナドア固定装置１０を持ち上げて、コンテナ１００から下される。
【００３０】
上記に加えて本発明によれば、フォークリフトの操作のみによりコンテナドア固定装置１０を所定位置に搭載すると共に、コンテナドア固定装置１０にドア１０１を固定することができ、これら一連の作業を簡単且つ的確に遂行される。
また、装置本体１１から伸長した各アーム１２のドア係止部１３により、ドア１０１のヒンジ部から離れた部位を固定するため、ドア１０１に対する高い固定力を確保することができる。
不使用時にはアーム１２をビーム１４に対して収縮させることで、コンパクトに収納可能であり、保管スペースを必要以上にとらない等の利点がある。
更にはコンテナドア固定装置１０の構成が比較的簡素であり、製造コストが安価で、製造時間があまりかからない。
【００３１】
以上、本発明を種々の実施形態と共に説明したが、本発明はこれらの実施形態にのみ限定されるものではなく、本発明の範囲内で変更等が可能である。
上記実施形態において例えば脚部３０の形状や個数等は必要に応じて増減可能である。
【符号の説明】
【００３２】
１  プラットホーム、１０  コンテナドア固定装置、１１  装置本体、１２  アーム、１３  ドア係止部、１４  ビーム、１５  フォークポケット、１６  ブラケット、１７  ガイドピン、１８  ベースプレート、１９  マグネット、２１  固定ピン、２２  水平バー、２３  当受け部、２４  ロック片、２５  ブラケット、２６  支軸、２７  ストッパ、２８  カギ棒、２９  係合孔、３０  脚部、３１  バランサ兼ブラケット、１００  コンテナ、１０１  ドア。
【図１】
2015081166.tif 000003
【図２】
2015081166.tif 000004
【図３】
2015081166.tif 000005
【図４】
2015081166.tif 000006
【図５】
2015081166.tif 000007
【図６】
2015081166.tif 000008
【図７】
2015081166.tif 000009
【図８】
2015081166.tif 000010